(57)【特許請求の範囲】
【請求項１】
患者の胸部又は腹部に沿わせる患者固定用の帯であって、前記帯の端部に立位医療検査機又はその周辺の固定物に結束し固定する結束手段を備え、患者の検査部位に当たる部分は、検査線源を透過し、それ自体検査出力に不都合な効果をもたらさない素材でつくられていて、前記帯は患者の腕を通す腕穴を備え、前記腕穴は、両腕を通すもので、二つの腕穴の間隔を自在に変えられるようにしたことを特徴とする立位医療検査用患者固定帯。
【発明の詳細な説明】
【技術分野】
【０００１】
本発明は、エックス線ＦＰＤ（フラットパネルディテクタ）等の立位医療検査用の用いる児童やお年寄りなどの転倒・転落を防止する患者固定帯に関するものである。
【背景技術】
【０００２】
従来、エックス線画像撮影では、横臥するものでは、特許文献１、特許文献２に見られるように、寝台状に固定帯が備えられたものがある。これは、図４に示すようなものである。立位のものでは、いまだこのような固定帯は見いだされていない。
図３は、エックス線ＦＰＤによる画像検査部の模様を示す図である。
３−Ａには、エックス線ＦＰＤ３００と、児童等の患者を座らせて検査高さ（高さ位置）を調整する椅子３１０を示している。エックス線ＦＰＤ３００は、これに対向する図示されないエックス線源から投射され、患者の体を透過したエックス線を略矩形の検出面（内部に撮像素子が敷設されている）で捉えて、ディジタル画像データとして、図示されない画面に表示することができ、昔は、エックス線感光フィルムに露光していて、画像にするまで時間を要したが、今では、即座に画像を得ることが出来るようになっている。３−Ｂにおいて、
エックス線ＦＰＤ３００の前には患者３２０が位置する訳であるが、児童やお年寄りの中には、立ち又は椅子３１０上に位置しているときに、検査位置から転倒・転落することがあり、事故になっている場合が発生している。又、エックス線ＦＰＤ３００の面に患者３２０の体をぴったり付けて動かない姿勢を撮影の時間維持しなければならないが、これらの患者の中には、指示が守れないケースが散見する。そのため、転倒・転落防止と、撮影姿勢の維持を目的に立位用の患者固定帯が医療現場から要望されていた。
【先行技術文献】
【特許文献】
【０００３】
【特許文献１】特開平９−１２２１１５
【特許文献２】特開２００７−３０１２１７
【発明の概要】
【発明が解決しようとする課題】
【０００４】
本発明の課題は、児童やお年寄りのための転倒・転落防止と、撮影姿勢の維持を目的に立位医療検査用の患者固定帯を提供することである。
【課題を解決するための手段】
【０００５】
本発明の立位医療検査用患者固定帯は、児童又はお年寄りなどの患者の胸部又は腹部に沿わせる帯であって、端部に立位医療検査機又はその周辺の固定物に結束し固定する結束手段を備え、患者の検査部位に当たる部分は、エックス線等の検査線源を透過し、それ自体検査出力に陰影などの不都合な効果をもたらさない素材でつくられていることを特徴とする。
以下請求項に沿って述べる。
【０００６】
請求項１記載の発明は、立位医療検査用患者固定帯であって、
患者の胸部又は腹部に沿わせる患者固定用の帯であって、前記帯の端部に立位医療検査機又はその周辺の固定物に結束し固定する結束手段を備え、患者の検査部位に当たる部分は、検査線源を透過し、それ自体検査出力に不都合な効果をもたらさない素材でつくられていて、前記帯は患者の腕を通す腕穴を備え、前記腕穴は、両腕を通すもので、二つの腕穴の間隔を自在に変えられるようにしたことを特徴とする。
【発明の効果】
【０００７】
以上の様に構成されているので、本発明による立位医療検査用患者固定帯を使用することで、児童又はお年寄りなどの患者の胸部又は腹部を立位医療検査機の前に動かない姿勢で撮影の時間維持し、又転倒・転落を防止することが可能となる。
【図面の簡単な説明】
【０００８】
【図１】本発明の立位医療検査用患者固定帯の一実施態様と使用状態を示す図である。
【図２】本発明の立位医療検査用患者固定帯の別の実施態様と使用状態を示す図である。
【図３】立位医療検査であるエックス線ＦＰＤによる画像検査部の模様を示す図である。
【図４】従来の横臥用エックス線検査機の使用状態を示す図である。
【発明を実施するための形態】
【０００９】
本発明の立位医療検査用患者固定帯は、
児童又はお年寄りなどの患者の胸部又は腹部に沿わせる帯であって、端部に立位医療検査機又はその周辺の固定物に結束し固定する結束手段を備え、患者の検査部位に当たる部分は、エックス線等の検査線源を透過し、それ自体検査出力に陰影などの不都合な効果をもたらさない素材でつくられていることを特徴とする。
以下図に沿って説明する。
【００１０】
図１は、本発明の立位医療検査用患者固定帯の一実施態様と使用状態を示す図である。
１−Ｃと１−Ｄには、立位医療検査用患者固定帯が示されている。１−Ｃでは、立位医療検査用患者固定帯１００には、患者の腕を通す腕穴１０１を備え、端部に結束手段１０２を備えている。結束手段１０２は、この例では、面ファスナーとなっていて、これを近傍のある固定用の棒に巻いたあとファスナー止めを行う。勿論、結束手段１０２は、面ファスナーにとらわれず何でも使用できる。例えば、掛けフック、掛けリング、マグネット、結び紐など制限はない。帯部のうち、特に患者の検査部位に当たる部分の素材は、それ自体検査出力に陰影などの不都合な効果をもたらさないものとなっている。例えば１−Ａのように二つの腕穴１０１間の帯部が患者の胸部や腹部に位置する場合はこの部分が、これに該当する。この素材として、検査線源を反射・吸収することなく透過するものが必要であるので、超音波、ミリ波、赤外線、エックス線、磁力線などに応じて各々、違った素材となる。
例えば、エックス線に対しては、炭素繊維樹脂（ＣＦＲＰ）、アクリル樹脂、ＭＣナイロン樹脂、ポリエチレン樹脂がエックス線の透過性が高く利用できる。このうち、特に炭素繊維樹脂が極めて透過性、機械的強度に優れているので、薄く作る事ができ、特に優れた素材である。
これらの素材や、結束手段１０２の特徴は、図１図２について同じである。
【００１１】
１−Ｄでは、児童やお年寄りの患者の個人の体の大きさの違いに対応出来ように二つの腕穴１０１の間隔である腕穴間隔Ｌが変えられるようになったものである。１−Ｅは、１−Ｄを横から見た断面を示す。二つの腕穴１０１が付いた帯は、上帯１１０Ｕと下帯１１０Ｌに分かれていて、その間を面ファスナ等で構成する帯間結節具１１１で結節されている。
帯間結節具１１１は、簡単に外すことが出来て、位置をずらせて再度結節すれば、二つの腕穴１０１の間隔が変えられるようになっている。尚、１−Ｃの場合と同様に端部に結束手段１０２を備えている。
【００１２】
１−Ａにおいて、患者３２０が、立位医療検査用患者固定帯１００の腕穴１０１に腕を通し、エックス線ＦＰＤ３００の前で、椅子３１０上に位置している状態を示している。立位医療検査用患者固定帯１００は、端部の結束手段１０２でここでは、エックス線ＦＰＤ３００に備えられた握り棒１３０に巻いて固定されている。
尚、座らない全く立ちの状態では、椅子３１０は用いないことは当然である。
【００１３】
図２は、本発明の立位医療検査用患者固定帯の別の実施態様と使用状態を示す図である。
図１では、腕穴１０１の存在により、立位医療検査用患者固定帯１００が下に落ちないで固定された、横方向には、握り棒１３０と立位医療検査用患者固定帯１００との間でソフトに抑えられているのでずれ動くことはないが、下方向には、腕穴１０１がないとずれ落ちる。上下方向には、大きな力で抑える必要はないが、ずれない程度の小さな力で抑える必要がある。然るに、図１の腕穴１０１があるものでは、腕穴間隔の違ったものを多数用意するか、又は１−Ｄのように間隔が変えられるものを用意する必要がある。
この欠点を克服するものとして、上下方向には、大きな力で抑える必要はないが、ずれない程度の小さな力で抑える必要があるということに着目した改良が図２の例ではなされている。
【００１４】
先ず、２−Ａにおいて、これは図１のものから腕穴１０１を除いたものであり、結束手段１０２とその固定相手の改善において下へのずれを回避するものである。例えば、結束手段１０２がカギフックになっていて、固定相手の棒に掛け具があれば、位置ずれは回避される。
２−Ｂでは、効果としては、図１と同じであるが、二つの掛け紐２０１があって、掛け紐２０１の一端は、立位医療検査用患者固定帯１００に接続していて、掛け紐２０１の他端を患者の肩の上を回して、再び立位医療検査用患者固定帯１００に結節する結節具２０２を有している。これにより、立位医療検査用患者固定帯１００と掛け紐２０１の間に腕を通した状態になる。
２−Ｃでは、一端が立位医療検査用患者固定帯１００に接続した１つの掛け紐２０１があって、これの他端を患者の首にまわして再び立位医療検査用患者固定帯１００に結節する結節具２０２を有している。２−Ｅには、患者にこれを装着した状態を示している。
２−Ｄでは、立位医療検査用患者固定帯１００の患者の股に当たる部分に股当２０３を備えたものを示す。この例では、椅子に座った状態では、股当２０３が椅子に支持されてそれ以上は下にずれないものである。
【産業上の利用可能性】
【００１５】
以上のように本発明による立位医療検査用患者固定帯は、児童やお年寄りのための転倒・転落防止と、撮影姿勢の維持が図られるので医療事故防止と検査時の便宜が良くなり、
産業上の利用性が極めて大きい。
【符号の説明】
【００１６】
１００  立位医療検査用患者固定帯
１０１  腕穴
１０２  結束手段
１１０Ｕ  上帯
１１０Ｌ  下帯
１１１  帯間結節具
１３０  握り棒
２０１  掛け紐
２０２  結節具
２０３  股当
３００エックス線ＦＰＤ
３１０  椅子
３２０  患者
【図１】
0005982686.tif 000002
【図２】
0005982686.tif 000003
【図３】
0005982686.tif 000004
【図４】
0005982686.tif 000005